(57)【要約】【課題】端子を大幅に増やすことなく駆動電圧のドロップを低減する。【解決手段】基板上に画面の表示ラインに対応した複数の電極対を構成するように配列された複数の第１電極および複数の第２電極とを備え、各第１電極が画面から第１の側に延在し、その延在部分である始端部が基板上の端子に接続されており、各第２電極が画面から第２の側に延在し、その延在部分である始端部が基板上の端子に接続されたプラズマディスプレイパネルにおいて、少なくとも第１電極を画面から第２の側に延在させ、その延在部分である終端部にキャパシタを接続する。【選択図】図３
2008084589.tif 000002
【特許請求の範囲】
【請求項１】
画面よりも大きい基板と、前記基板上に前記画面の表示ラインに対応した複数の電極対を構成するように配列された複数の第１電極および複数の第２電極とを備え、前記複数の第１電極のそれぞれが前記画面から前記表示ラインに沿う方向における第１の側に延在し、その延在部分である始端部が前記基板上の通電のための端子に接続されており、前記複数の第２電極のそれぞれが前記画面から前記方向における第２の側に延在し、その延在部分である始端部が前記基板上の通電のための端子に接続されたプラズマディスプレイパネルであって、
前記複数の第１電極のそれぞれが前記画面から前記方向における第２の側に延在し、その延在部分である終端部にキャパシタが接続されている
ことを特徴とするプラズマディスプレイパネル。
【請求項２】
前記複数の第２電極のそれぞれが前記画面から前記第１の側に延在し、その延在部分である終端部にもキャパシタが接続されている
請求項１に記載のプラズマディスプレイパネル。
【請求項３】
前記第１電極に接続されたキャパシタは、前記第１電極の終端部に接続された導体と、隣接する第２電極の始端部に接続された導体と、これら導体の間に介在する誘電体とから構成され、
前記第２電極に接続されたキャパシタは、前記第２電極の終端部に接続された導体と、隣接する第１電極の始端部に接続された導体と、これら導体の間に介在する誘電体とから構成される
請求項２に記載のプラズマディスプレイパネル。
【請求項４】
前記第１電極に接続されたキャパシタを構成する導体、および前記第２電極に接続されたキャパシタを構成する導体が同一面上に形成されている
請求項３に記載のプラズマディスプレイパネル。
【請求項５】
前記第１電極に接続されたキャパシタは、前記第１電極の終端部に接続され且つ単一の第１電極に対応する個別導体と、前記複数の第１電極に対応する共通導体と、これらの導体の間に介在する誘電体とから構成され、
前記第２電極に接続されたキャパシタは、前記第２電極の終端部に接続され且つ単一の第２電極に対応する個別導体と、前記複数の第２電極に対応する共通導体と、これら導体の間に介在する誘電体とから構成される
請求項２に記載のプラズマディスプレイパネル。
【請求項６】
前記第１電極に接続されたキャパシタは、前記第１電極の終端部に接続され且つ単一の第１電極に対応する個別導体と、前記複数の第１電極に対応し且つ前記基板と対向する他の基板に配置された共通導体と、これら導体の間に介在し且つ当該共通導体と前記複数の第２電極の始端部との間に介在しない誘電体とから構成される
請求項１に記載のプラズマディスプレイパネル。
【請求項７】
請求項１に記載のプラズマディスプレイパネルを備えたプラズマ表示装置であって、
上記プラズマディスプレイパネルは、さらに前記第１電極および第２電極とガス放電空間との間に介在する誘電体層とを有しており、
前記画面を構成するセルに表示データに応じて選択的に壁電荷を形成するアドレッシングに続いて、アドレッシングで壁電荷の形成されたセルのみで周期的に表示放電を起こす交流電圧が前記複数の電極対に一斉に加わるように、前記複数の第１電極および複数の第２電極に対して互いに異なるタイミングで断続的な通電を行い、当該タイミングは前記第１電極の電位遷移が前記複数の電極対の電極間の電位差を零に近づけ、且つ前記第２電極の電位遷移が前記電位差の絶対値を増大させるものである
ことを特徴とするプラズマ表示装置。
【請求項８】
前記アドレッシングに際して、前記複数の第２電極を順次の表示ライン選択のためのスキャン電極として用いる
請求項７に記載のプラズマ表示装置。
【発明の詳細な説明】
【技術分野】
【０００１】
本発明は、プラズマディスプレイパネルおよびプラズマディスプレイパネルによって画像を表示するプラズマ表示装置に関する。
【背景技術】
【０００２】
プラズマディスプレイパネルは、図１のように前面板１０ｚ、背面板２０ｚ、および図示しない放電ガスによって構成され、マトリクス表示の行に対応する仮想の表示ラインに沿って並ぶ多数のセル（発光素子）からなる画面５０を有する。前面板１０ｚおよび背面板２０ｚは対向配置され、互いに重なり合う領域の周辺部に配置された枠状の封止材３５によって接合されている。前面板１０と背面板２０と封止材３５とで密封された内部空間に放電ガスが封入されている。
【０００３】
前面板１０ｚは背面板２０ｚに対して図の左右に所定長さだけ（例えば５ｍｍ程度）張り出し、背面板２０ｚは前面板１０ｚに対して図の上下に張り出す。このように張り出した前面板１０ｚおよび背面板２０ｚのそれぞれの端部に、駆動回路との接続のためのフレキシブル配線板が接合される。
【０００４】
図２は典型的なセル構造を示す。前面板１０ｚは、画面よりも大きいガラス基板１１、第１電極である表示電極Ｘ、第２電極である表示電極Ｙ、ＡＣ駆動のための誘電体層１７、および誘電体層１７に対するスパッタリングを防ぐ保護膜１８を備える。背面板２０ｚは、画面よりも大きいガラス基板２１、第３電極であるアドレス電極Ａ、誘電体層２２、ガス放電空間を区画する隔壁２３、赤（Ｒ）の蛍光体２４、緑（Ｇ）の蛍光体２５、および青（Ｂ）の蛍光体２６を備える。
【０００５】
表示電極Ｘおよび表示電極Ｙは、セルを発光させる表示放電を起こすための電極として共にガラス基板１１の内面に配列されており、背面板のガラス基板２１に配列されたアドレス電極Ａと交差する。各表示電極は、パターニングされた透明導電膜１２および金属膜１３からなり、表示ラインに沿って延びる。表示電極Ｘおよび表示電極Ｙのうち、表示電極Ｙはアドレッシングにおいて順次に表示ラインを選択するためのスキャン電極として用いられる。
【０００６】
一般に、プラズマディスプレイパネルにおいては、例えば特開２００５−１０４２４号公報に記載のあるように、表示電極Ｘはその片方の端部が駆動回路と接続され、同様に表示電極Ｙの片方の端部が駆動回路と接続される。そして、表示電極Ｘと駆動回路とを接続するための端子はガラス基板１１における表示ライン方向の一端部に配置され、ガラス基板１１における他端部に表示電極Ｙと駆動回路とを接続するための端子が配置される。このように端子を画面の両側に分散配置するのは、画面の片側に表示電極Ｘおよび表示電極Ｙの両方の端子を配列すると、各端子の面積を十分に大きくすることができず、接続の信頼性が低下するからである。
【特許文献１】特開２００５−１０４２４号公報
【発明の開示】
【発明が解決しようとする課題】
【０００７】
上述のとおり表示電極Ｘ，Ｙとが画面の片側で駆動回路と接続されるので、表示電極Ｘ，Ｙを流れる放電電流の電流量およびセルに加わる電圧が画面内で均一ではない。例えば、表示電極Ｘを陽極(正）、表示電極Ｙを陰極（負）とする表示放電がこれら電極の関係する全てのセルで生じる場合において、表示電極Ｘを流れる放電電流の電流量は端子に接続された一端から他端へ向かうにつれて一次関数的に減少する。そして、接地ラインと表示電極Ｘとの間の電圧は、端子に接続された一端から他端へ向かうにつれて二次関数的に減少する。したがって、単位長さあたりの抵抗をｒ、電極の長さをＬ、端子での電流量をＩとすると、表示電極Ｘと表示電極Ｙとの間の電圧は、画面の両端部ではおおよそＲＩＬ／２だけドロップし、画面の中央部ではおおよそ３ＲＩ／４だけドロップする。
【０００８】
このような電圧のドロップを低減する手段として、表示電極Ｘおよび表示電極Ｙを画面の両側に引き出してそれぞれに対して両側から給電することが考えられる。これによれば、端子での電流量が半分になり、電極の実質の長さも半分になるので、ドロップを１／４に低減させることができる。
【０００９】
しかし、そのために端子の個数が２倍になって電極と駆動回路との接続が困難になる。また、表示電極Ｙをスキャン電極として駆動する駆動デバイスの個数が２倍になるので、駆動回路の価格が大幅に上昇する。
【００１０】
このような事情に鑑み、本発明は端子を大幅に増やすことなく駆動電圧のドロップを低減することを目的としている。
【課題を解決するための手段】
【００１１】
上記目的を達成するプラズマディスプレイパネルは、画面よりも大きい基板と、前記基板上に前記画面の表示ラインに対応した複数の電極対を構成するように配列された複数の第１電極および複数の第２電極とを備える。前記複数の第１電極のそれぞれは前記画面から前記表示ラインに沿う方向における第１の側に延在し、その延在部分である始端部が前記基板上の通電のための端子に接続されており、前記複数の第２電極のそれぞれは前記画面から前記方向における第２の側に延在し、その延在部分である始端部が前記基板上の通電のための端子に接続されている。さらに、前記複数の第１電極のそれぞれは前記画面から前記方向における第２の側に延在し、その延在部分である終端部にキャパシタが接続されている。
【００１２】
キャパシタは、電極を配列することによって必然的に形成される寄生容量と比べて十分に大きい容量をもつ電気回路要素として意図的に基板上に形成される。キャパシタは端子を介した第１電極への通電によって充電され、第１電極に対応するセルでのガス放電に際して放電電流を供給する。
【００１３】
他の態様に係るプラズマディスプレイパネルでは、複数の第１電極の終端部にキャパシタが接続され、複数の第２電極のそれぞれが画面から前記第１の側に延在し、その延在部分である終端部にもキャパシタが接続されている。
【００１４】
さらに他の態様に係るプラズマディスプレイパネルにおいて、第１電極に接続されるキャパシタは、前記第１電極の終端部に接続され且つ単一の第１電極に対応する個別導体と、前記複数の第１電極に対応し且つ前記基板と対向する他の基板に配置された共通導体と、これら導体の間に介在し且つ当該共通導体と前記複数の第２電極の始端部との間に介在しない誘電体とから構成される。このプラズマディスプレイパネルを備えたプラズマ表示装置は、画面を構成するセルに表示データに応じて選択的に壁電荷を形成するアドレッシングを行い、その際に前記複数の第２電極を順次の表示ライン選択のためのスキャン電極として用い、アドレッシングに続いて、アドレッシングで壁電荷の形成されたセルのみで周期的に表示放電を起こす交流電圧が前記複数の電極対に一斉に加わるように、複数の第１電極および複数の第２電極に対して互いに異なるタイミングで断続的な通電を行う。そのタイミングは前記第１電極の電位遷移が前記複数の電極対の電極間の電位差を零に近づけ、且つ前記第２電極の電位遷移が前記電位差の絶対値を増大させるものである。
【発明の効果】
【００１５】
本発明によれば、キャパシタが補助的な放電電流源として機能するので、電極の両端に端子を設けて両端を駆動回路と接続することなく、駆動電圧のドロップを低減することができる。
【発明を実施するための最良の形態】
【００１６】
〔第１の形態〕
図３は本発明に係るプラズマ表示装置の構成の第１例を示す。図３のプラズマ表示装置１は、特徴的な要素であるキャパシタＱを有するプラズマディスプレイパネル２とそれを駆動するための電気回路とから構成される。プラズマディスプレイパネル２の画面５０を含めて、プラズマ表示装置１の基本的な構成は次のとおり一般的なものである。
【００１７】
画面５０には、第１電極である表示電極Ｘ、第２電極であるの表示電極Ｙ、および第３電極であるアドレス電極Ａが配列されている。隣接する表示電極Ｘと表示電極Ｙとが表示放電のための電極対を構成し、表示電極Ｙとアドレス電極Ａとがアドレッシングにおけるセル選択のための電極マトリクスを構成する。電極マトリクスの交点に例えば図２のような構造をもつセル５１が対応する。
【００１８】
表示電極Ｘおよび表示電極Ｙは画面５０からプラズマディスプレイパネル２のガラス基板１１（図１、図２参照）の端縁の近傍まで延長されており、ガラス基板１１上に設けられた端子Ｔｘ，Ｔｙと繋がっている。図において、表示電極Ｘｚの端子Ｔｘは画面５０の左側に配置され、表示電極Ｙｚの端子Ｔｙは画面５０の右側に配置されている。アドレス電極Ａも画面５０から周辺へ延長され、所定の端子と繋がっている。
【００１９】
端子Ｔｘを介して表示電極Ｘにはサステインドライバ４が接続され、端子Ｔｙを介して表示電極Ｙにはスキャンドライバ５およびサステインドライバ６が接続されている。また、アドレス電極Ａにはアドレスドライバ６が接続されている。これらドライバはコントローラ８からの制御信号に従って動作し、電源９に繋がる所定電位の給電ラインおよび接地ラインとプラズマディスプレイパネル２の電極との間の電流路を開閉する。サステインドライバ４，６は表示電極間の静電容量の充電に費やした電荷を再利用するための電力回収回路を含む。
【００２０】
なお、厳密には画面５０は発光色の異なる３種のセルからなるが、本明細書では各セルが電源回路９に対する容量負荷であることに主眼をおき、図示において発光色を区別することなく全てのセルを同一の要素として扱い、同一の参照符号（５１）を付してある。
【００２１】
このようなプラズマ表示装置１において、プラズマディスプレイパネル２は多数のキャパシタＱを備えている。キャパシタＱは表示電極対に対する印加電圧のドロップを低減するために画面５０の周囲に意図的に形成された回路素子であり、キャパシタＱが無い場合の画面５０の周囲における電極間の寄生容量よりも十分に大きい容量をもつ。
【００２２】
図４（Ａ）および（Ｂ）によく示されるように、本例では表示電極Ｘと表示電極Ｙの対に計２個のキャパシタＱが対応する。これら２個のキャパシタＱの一方は表示電極Ｘの終端部ＸＢに接続され、他方は表示電極Ｙの終端部ＹＢに接続されている。詳しくは、表示電極Ｘの終端部ＸＢと表示電極Ｙの始端部ＹＡとに、キャパシタＱを構成する一対の導体が接続され、表示電極Ｙの終端部ＹＢと表示電極Ｘの始端部ＸＡとに、他のキャパシタＱに備わる一対の導体が接続されている。
【００２３】
ここで、“始端部”および“終端部”を次のとおり定義する。画面５０の両側に延在する表示電極における２個の延在部分のうち、端子と繋がっている方が始端部であり、残りの片方が終端部である。図４（Ａ）において、表示電極Ｘの端子Ｔｘは画面５０の右側に配置されているので、表示電極Ｘの右側の延在部分が始端部ＸＡであり、左側の延在部分が終端部ＸＢである。これに対して、表示電極Ｙの端子Ｔｙは画面５０の左側に配置されているので、表示電極Ｙの左側の延在部分が始端部ＹＡであり、右側の延在部分が終端部ＹＢである。
【００２４】
図４（Ａ）のようにキャパシタＱは端子Ｔｘ，Ｔｙを介した通電によって充電される。例えば図示のように、端子Ｔｙが接地ライン（ＧＮＤ）に接続されている状態で、端子Ｔｘが所定電位（Ｖｓ）の給電ラインに接続されると、セル５１の静電容量を充電する電流が流れる。充電が進むにつれてセル５１の表示電極間の電圧が高まる。このとき、画面５０の両側のキャパシタＱも充電される。
【００２５】
セル５１でガス放電が生じると、図４（ｂ）のようにキャパシタＱからセル５１へ放電電流が流れる。すなわち、キャパシタＱは電源回路９からの放電電流の供給を補助する電流源として機能する。これにより、表示電極の両端に電源回路９を接続する場合に似た通電が実現され、印加電圧のドロップが低減される。
【００２６】
図５（Ａ）はキャパシタの構成の第１例を示す平面図、図５（Ｂ）は図５（Ａ）のａ−ａ矢視断面図である。画面の左側と右側とでは始端部と終端部とが入れ替わるが、キャパシタＱの構成は同様であるので、図5では代表として画面の左側に配置されるキャパシタＱを図示してある。キャパシタの構成を示す他の図も図５に準じる。
【００２７】
図５（Ａ）においてキャパシタＱは、表示電極Ｘの終端部ＸＢに接続された櫛状の導体６１、導体６１の櫛歯間に入り込む櫛歯をもち且つ表示電極Ｙの始端部ＹＡに接続された櫛状の導体６２、および導体６１と導体６２との間に介在する誘電体６３から構成される。第1例では図５（Ｂ）のように、導体６１および導体６２が共に同一の面（ガラス基板１１の内面）の上に形成されている。この場合、導体６１，６２を表示電極Ｘ，Ｙと一体に同時に形成することができる。すなわち、第1例は生産性に優れる。図では、導体６１，６２は金属膜１３のみからなるが、透明導電膜１２と金属膜１３との積層、または透明導電膜１２のみからなるものでもよい。
【００２８】
誘電体６３は例えば低融点ガラスからなり、その誘電率はセル５１に配置される誘電体層１７（図２参照）の誘電率よりも大きい。ただし、導体６１，６２の形状および寸法の選定によって十分な容量が得られる場合には、誘電体層１７と同じ材料で誘電体６３を形成したり、誘電体６３を兼ねるように誘電体層１７を形成したりすることができる。
【００２９】
キャパシタＱを配置する位置は、画面５０の内部でなければよく、封止材３５（図１参照）が囲む領域内（封止材３５と画面５０との間）、封止材３５の周囲、または封止材３５が配置される領域であってもよい。ただし、電力損失を少なくする上では、画面５０の近傍に配置するのが望ましい。キャパシタＱでガス放電が起こるとセル５１に対する電流源として機能しないので、封止材３５と画面５０との間にキャパシタＱを設ける場合には、ガス放電が起きないように誘電体６３または誘電体６３と他の絶縁体とで導体６１，６２を十分に厚く被覆する必要がある。
【００３０】
図６（Ａ）はキャパシタの構成の第２例を示す平面図、図６（Ｂ）は図６（Ａ）のａ−ａ矢視断面図である。
【００３１】
図６（Ａ）においてキャパシタＱaは、表示電極Ｘの終端部ＸＢに接続された四角形の導体７１、導体７１と対向する四角形の導体７２、および導体７１と導体７２とに挟まれた誘電体７３から構成される。すなわち、キャパシタＱaは3層構造をもつ。この第２例では導体７１，７２の形状が単純で作り易く、誘電体７３を薄くすることで大容量化を図ることができる。誘電体７３の誘電率およびキャパシタＱaの配置位置については、上述の第1例と同様に種々の選定が可能である。
〔第２の形態〕
図７は本発明に係るプラズマ表示装置の構成の第２例を示す。図７のプラズマ表示装置１ｂは、印加電圧のドロップを低減するためのキャパシタＱｂおよび接地端子ＴＧＮＤを有したプラズマディスプレイパネル２ｂとそれを駆動するための電気回路とから構成される。電気回路の構成は上述した図３の例と同様である。また、プラズマディスプレイパネル２ｂは図３のプラズマディスプレイパネル２と同様に画面５０および端子Ｔｘ，Ｔｙを有する。
【００３２】
プラズマディスプレイパネル２ｂでは、表示電極Ｘの終端部にキャパシタＱｂが接続され、表示電極Ｙの終端部にもキャパシタＱｂが接続されている。詳しくは、キャパシタＱｂは、後述する個別導体および共通導体を備えており、その個別導体が表示電極Ｘまたは表示電極Ｙの終端部に接続されている。共通導体は図示しない接地ラインを介して接地端子ＴＧＮＤに接続されている。端子Ｔｘ，Ｔｙおよび接地端子ＴＧＮＤが電源回路９に接続されることによって、キャパシタＱｂの充放電に係る通電経路が形成され、上述の例と同様にキャパシタＱｂがガス放電電流をセルに供給する補助的な電流源として機能する。
【００３３】
上述した図３の構成では、比較的に簡単にキャパシタを付加することができるが、キャパシタＱを充電する際に、一方の表示電極から他方の表示電極へ電流を流す必要がある。そのため、電気回路での損失が大きくなる。本例では、キャパシタＱｂは、終端部ＸＢ，ＹＢと接地ラインとの間に形成されるので、損失を低減させることができる。
【００３４】
図８（Ａ）はキャパシタの構成の第３例を示す平面図、図８（Ｂ）は図８（Ａ）のａ−ａ矢視断面図である。図８（Ａ）においてキャパシタＱｂは、表示電極Ｘの終端部ＸＢに接続され且つ単一の表示電極Ｘに対応する個別導体８１Ａと、表示電極Ｙの始端部ＹＡに接続され且つ単一の表示電極Ｙに対応する個別導体８１Ｂと、複数の表示電極Ｙの始端部ＹＡと交差するように延びて複数の表示電極Ｘに対応する共通導体８２と、少なくとも個別導体８１Ａと共通導体８２との間に介在する誘電体８３とから構成される。なお、図示を省略したが、表示電極Ｙの終端部に接続されるキャパシタＱｂも同様に、表示電極Ｙの終端部に接続され且つ単一の表示電極Ｙに対応する個別導体と、複数の表示電極Ｙに対応する共通導体と、これらの導体の間に介在する誘電体とから構成される。
【００３５】
図８（Ｂ）のように、個別導体８１Ａ，８１Ｂは前面側のガラス基板１１上に配置され、共通導体８２は背面側のガラス基板２１上に配置されている。この場合、表示電極Ｘ，Ｙと同時に個別導体８１Ａ，８１Ｂを形成し、アドレス電極Ａと同時に共通導体８２を形成することができる。図示では、個別導体８１Ａ，８１Ｂが誘電体層１７で覆われ、共通導体８２が誘電体層２２で覆われている。そして、誘電体８３の厚さは隔壁２３の高さに合わされている。しかし、これに限らない。個別導体８１Ａ，８１Ｂが誘電体８３と接してもよいし、共通導体８２が誘電体８３と接してもよい。
【００３６】
接地端子ＴＧＮＤの配置については、共通導体８２と同じ基板上に配置するのが構造の簡単化の上で望ましい。背面側の基板に配置する場合においてはアドレス電極Ａの端子と並べて接地端子ＴＧＮＤを配置してもよい。
〔第３の形態〕
図９は本発明に係るプラズマ表示装置の構成の第３例を示す。図９のプラズマ表示装置１ｃは、印加電圧のドロップを低減するためのキャパシタＱｃおよび接地端子ＴＧＮＤを有したプラズマディスプレイパネル２ｃとそれを駆動するための電気回路とから構成される。電気回路の構成は上述した図３の例と同様である。また、プラズマディスプレイパネル２ｃは図３のプラズマディスプレイパネル２と同様に画面５０および端子Ｔｘ，Ｔｙを有する。
【００３７】
プラズマディスプレイパネル２ｃでは、表示電極Ｘの終端部にキャパシタＱｃが接続されている。しかし、スキャン電極として用いる表示電極ＹにはキャパシタＱｃが接続されていない。これによってスキャンパルスの実効的なパルス幅を縮めるパルス前縁（立ち上がり）の鈍りが防止される。
【００３８】
図１０（Ａ）はキャパシタの構成の第４例を示す平面図、図１０（Ｂ）は図１０（Ａ）のａ−ａ矢視断面図である。図１０（Ａ）においてキャパシタＱｃは、表示電極Ｘの終端部ＸＢに接続され且つ単一の表示電極Ｘに対応する個別導体９１と、複数の表示電極Ｙの始端部ＹＡと交差するように延びて複数の表示電極Ｘに対応する共通導体９２と、これら導体の間に介在し且つ当該共通導体９２と表示電極Ｙの始端部ＹＡとの間には介在しない誘電体９３とから構成される。
【００３９】
図８（Ｂ）のように、個別導体９１は前面側のガラス基板１１上に配置され、共通導体９２は背面側のガラス基板２１上に配置されている。これにより、表示電極Ｙの始端部ＹＡと共通導体９２とを十分に離し、始端部ＹＡと共通導体９２との間の寄生容量を十分に小さくすることができる。
【００４０】
図１１は図９の構成のプラズマディスプレイパネルに適した駆動波形の一例を示し、図１２はサステイン期間の電圧印加のタイミングを示す。図１１の駆動波形においてサステイン期間の部分に特徴がある。駆動シーケンスの概略は次のとおり一般的なものである。
【００４１】
プラズマディスプレイパネル２ｃによる表示では、入力画像である時系列のフレームを複数のサブフレームに置き換える。各サブフレームに、壁電荷の初期化（リセット）のためのリセット期間、表示データに応じた壁電荷制御（アドレッシング）のためのアドレス期間、および表示すべき明るさに応じた回数の表示放電を生じさせる点灯維持（サステイン）のためのサステイン期間を割り当てる。
【００４２】
図１１の例では、リセット期間にいわゆる鈍波リセットが行われる。鈍波リセットは、図示のランプ波形パルスに代表される鈍波パルスの印加によって微弱な放電を連続的に生じさせ、それによって壁電荷量を調整する操作である。アドレス期間においては、表示電極Ｙに対して１本ずつ順にスキャンパルスが印加される。すなわち、表示ライン選択が行われる。表示ライン選択に同期して、選択ラインにおける点灯すべきセルに対応したアドレス電極Ａにアドレスパルスが印加される。表示電極Ｙおよびアドレス電極Ａによって選択された点灯すべきセルでアドレス放電が生じて所定の壁電荷が形成される。サステイン期間においては、表示電極Ｙと表示電極Ｘとに交互に特徴的なタイミングでサステインパルスが印加される。印加ごとに点灯すべきセルの表示電極間で表示放電が生じる。
【００４３】
以下、サステイン期間における特徴的な駆動のタイミングについてさらに説明する。
【００４４】
図１２のように、表示電極Ｘおよび表示電極Ｙに対して互いに異なるタイミングで断続的な通電を行う。ここでいう通電は、端子Ｔｘ，Ｔｙを給電ラインに接続することを意味する。通電のタイミングは、表示電極Ｘの通電期間と表示電極Ｙの通電期間が部分的に重複するものであって、表示電極Ｘの電位遷移がセル内の表示電極間の電位差を零に近づけ且つ表示電極Ｙの電位遷移が表示電極間の電位差の絶対値を増大させるものである。
【００４５】
このようなタイミングで行うサステインは、サステインパルスの前縁が鈍って表示放電が不安定となるというキャパシタＱｃに係る問題の解決に有効である。すなわち、表示放電に係る電極対の一方のみ（本例では表示電極Ｘのみ）にキャパシタＱｃが接続された構成において、キャパシタＱｃが接続された表示電極の鈍い電位変化が終わった後に、キャパシタＱｃの接続されていない他方の電極（本例では表示電極Ｙ）の電位を変化させて表示放電を起こす。これにより、図中の表示電極間のセル電圧における放電開始電圧を超えるときの変化は、キャパシタＱｃの接続されていない電極の電位変化に相応するので比較的に急峻となる。セル電圧（印加電圧に壁電圧が重畳した電圧）の変化が急峻であるほど、実効的なパルス幅が長く放電確率が大きい。
【００４６】
本実施形態によれば、スキャン電極として用いる表示電極Ｙにはサステインにおける電圧ドロップを低減するキャパシタＱｃを接続しないので、高速の安定したアドレッシングが可能である。加えて、キャパシタＱｃによりドロップを低減し且つサステインパルスを上記のタイミングで印加するので、安定したサステインが可能である。
【００４７】
以上の実施形態において、プラズマ表示装置１，１ｂ、１ｃの全体構成、画面のセル構造、キャパシタＱ，Ｑａ，Ｑｂ，Ｑｃの構造、材質、大きさ、および配置位置などは、本発明の趣旨に沿う範囲内で適宜変更することができる。例えば、図７においてはスキャン電極として用いない表示電極ＸのみにキャパシタＱｃを接続した構成を示したが、サステインパルスの鈍りによる表示放電ミスを防ぐ上では、一対の表示電極Ｘ，ＹのどちらにキャパシタＱｃを接続してもよい。表示電極ＹにキャパシタＱｃを接続する場合、図１２の駆動波形において表示電極Ｘの波形と表示電極Ｙの波形とが入れ替わるように通電のタイミングを設定すればよい。
【００４８】
キャパシタＱ，Ｑａ，Ｑｂ，Ｑｃの容量は、パルスが鈍ることによる不都合を勘案して選定すべき設計事項である。容量が大きいほど電圧ドロップを低減する効果は大きい。
【産業上の利用可能性】
【００４９】
本発明は、パーソナルコンピュータやワークステーションなどの情報処理機器のディスプレイ、平面型のテレビジョン、広告や案内情報などの公衆表示用のディスプレイなどに利用することができる。
【図面の簡単な説明】
【００５０】
【図１】プラズマディスプレイパネルの全体構成の概要を示す図である。
【図２】典型的なセル構造を示す分解斜視図である。
【図３】本発明に係るプラズマ表示装置の構成の第１例を示す図である。
【図４】キャパシタの配置および機能を模式的に示す図である。
【図５】キャパシタの構成の第１例を示す図である。
【図６】キャパシタの構成の第２例を示す図である。
【図７】本発明に係るプラズマ表示装置の構成の第２例を示す図である。
【図８】キャパシタの構成の第３例を示す図である。
【図９】本発明に係るプラズマ表示装置の構成の第３例を示す図である。
【図１０】キャパシタの構成の第４例を示す図である。
【図１１】図９の構成のプラズマディスプレイパネルに適した駆動波形の一例を示す図である。
【図１２】サステイン期間の電圧印加のタイミングを示す図である。
【符号の説明】
【００５１】
１，１ｂ、１ｃ    プラズマ表示装置
２，２ｂ、２ｃ    プラズマディスプレイパネル
５０    画面
１１    ガラス基板
Ｘ    表示電極（第１電極）
Ｙ    表示電極（第２電極）
ＸＡ、ＹＡ    始端部
ＸＢ，ＹＢ    終端部
Ｔｘ，Ｔｙ    端子
Ｑ，Ｑａ，Ｑｂ，Ｑｃ  キャパシタ
６１，６２    導体
７１，８１Ａ，８１Ｂ，９１    個別導体
７２，８２，９２    共通導体
６３，７３，８３，９３
【図１】
2008084589.tif 000003
【図２】
2008084589.tif 000004
【図３】
2008084589.tif 000005
【図４】
2008084589.tif 000006
【図５】
2008084589.tif 000007
【図６】
2008084589.tif 000008
【図７】
2008084589.tif 000009
【図８】
2008084589.tif 000010
【図９】
2008084589.tif 000011
【図１０】
2008084589.tif 000012
【図１１】
2008084589.tif 000013
【図１２】
2008084589.tif 000014